(57)【要約】【課題】  外部ファクシミリ装置に送信した画像を容易に追跡することが可能なファクシミリ装置を提供する。【解決手段】  読み取った画像を蓄積する文書蓄積部５と、掲示板や親展機能を提供しバックアップ用ボックスが用意されたボックス管理部１０と、読み取った画像を文書蓄積部５に蓄積する際、バックアップ用ボックスにも蓄積するよう制御するシステム制御部１とを備えたファクシミリ装置。【選択図】        図１
2007174516.tif 000002
【特許請求の範囲】
【請求項１】
読み取った画像を蓄積する文書蓄積部と、掲示板や親展機能を提供しバックアップ用ボックスが用意されたボックス管理部と、読み取った画像を文書蓄積部に蓄積する際にバックアップ用ボックスに蓄積するよう制御するシステム制御部と、を備えたことを特徴とするファクシミリ装置。
【請求項２】
請求項１のファクシミリ装置において、前記バックアップ用ボックスに蓄積された画像の転送先が登録された電話番号管理部を備え、前記システム制御部は、前記バックアップ用ボックスに画像が蓄積された場合に登録された転送先に画像を転送する制御を行うことを特徴とするファクシミリ装置。
【請求項３】
請求項１のファクシミリ装置において、前記バックアップ用ボックスに登録された画像をネットワークから参照するためのネットワーク制御部を備えたことを特徴とするファクシミリ装置。
【請求項４】
請求項１のファクシミリ装置において、前記バックアップ用ボックスに登録された画像をネットワーク経由で取得するためのネットワーク制御部を備えたことを特徴とするファクシミリ装置。
【発明の詳細な説明】
【技術分野】
【０００１】
本発明は、ファクシミリ装置に関する。
【背景技術】
【０００２】
多数のユーザーが自身のファクシミリ装置を使用して外部ファクシミリ装置に送信するが、通信履歴などにより、いつ、どこへ送信したかは追跡できるようになっている。しかしながら、送信画像までは追跡できない。
このような背景からデータを蓄積する外部装置にファクシミリデータと同一のデータを転送して、該データのバックアップを依頼することが可能なファクシミリ端末が提案されている（特許文献１参照）。
【特許文献１】特開２０００−１１５４９４公報
【発明の開示】
【発明が解決しようとする課題】
【０００３】
上述した技術の場合、外部端末にデータを転送し、送信データの確認に際してはその外部端末にアクセスしなければならず、送信画像の追跡は手間の掛かるものであった。
本発明は、外部ファクシミリ装置に送信した画像を容易に追跡することが可能なファクシミリ装置を提供することを目的とする。
【課題を解決するための手段】
【０００４】
上記目的を達成するために、請求項１記載の発明は、読み取った画像を蓄積する文書蓄積部と、掲示板や親展機能を提供しバックアップ用ボックスが用意されたボックス管理部と、読み取った画像を文書蓄積部に蓄積する際にバックアップ用ボックスに蓄積するよう制御するシステム制御部と、を備えたファクシミリ装置を特徴とする。
請求項２記載の発明は、請求項１のファクシミリ装置において、前記バックアップ用ボックスに蓄積された画像の転送先が登録された電話番号管理部を備え、前記システム制御部は、前記バックアップ用ボックスに画像が蓄積された場合に登録された転送先に画像を転送する制御を行うことを特徴とする。
請求項３記載の発明は、請求項１のファクシミリ装置において、前記バックアップ用ボックスに登録された画像をネットワークから参照するためのネットワーク制御部を備えたことを特徴とする。
請求項４記載の発明は、請求項１のファクシミリ装置において、前記バックアップ用ボックスに登録された画像をネットワーク経由で取得するためのネットワーク制御部を備えたことを特徴とする。
【発明の効果】
【０００５】
本発明によれば、読み取った画像を蓄積する文書蓄積部と、掲示板や親展機能を提供しバックアップ用ボックスが用意されたボックス管理部と、読み取った画像を文書蓄積部に蓄積する際、バックアップ用ボックスにも蓄積するよう制御するシステム制御部とを備えたので、外部ファクシミリ装置に送信した送信画像を容易に追跡することができる。
また未転送画像があった場合に確実にこれを転送することができる。また機器内にバックアップされた画像を、ネットワークを通じて参照できる。また機器内にバックアップされた画像を、ネットワークを通じて取得できる。
【発明を実施するための最良の形態】
【０００６】
以下、図面を参照して、本発明の実施形態を詳細に説明する。
図１は本発明の実施形態に係るファクシミリ装置のシステムブロック図である。図１において、システム制御部１は、システム全体を監視制御する。システムメモリ部２は、装置に予め登録される情報や通信に必要なデータを一時格納する。読取部３は原稿を読み取る。印刷部４は記録紙に画像を出力する。
文書蓄積部５は、読取部３より蓄積した原稿や、受信した文書を格納する。通信制御部６は、Ｇ３／Ｇ４ファクス通信制御、画情報の圧縮再生制御、モデム制御、ＮＣＵ制御などを行う。操作部７はユーザーが各種操作を行う。電話番号管理部８は、操作部７から登録された各種電話番号やメールアドレスを管理する。
ネットワーク制御部９は、ＬＡＮへの接続を行い、Ｗｅｂブラウザからの登録操作や、機器内の状態を表示する。ボックス管理部１０は、Ｆコード等に対応して掲示板や親展機能を提供し、登録された画像を管理する。
【０００７】
図２は本発明のファクシミリ装置における第１の制御例を示すフローチャートである。ユーザー操作により読取部３で送信原稿が読み取られる（Ｓ１、Ｓ２）。読み取られた原稿（画像）は文書蓄積部５に蓄積される（Ｓ３）。そして同時にボックス管理部１０に用意されたバックアップ用ボックスに原稿が蓄積される（Ｓ４）。送信が行われてすべての宛先に送信終了すると（Ｓ５、Ｓ６）、文書蓄積部５に蓄積された原稿は自動的に消去されるが（Ｓ７）、バックアップ用ボックスに蓄積された原稿は消去されずに残る。この原稿を後から参照して、どの原稿を送信したかを追跡することができる。
図３は本発明のファクシミリ装置における第２の制御例を示すフローチャートである。予めバックアップ用ボックスに画像が蓄積されたら転送先を操作部７より操作して電話番号管理部８に登録しておく。バックアップ用ボックスに画像蓄積されたら、自動的に転送を開始する（Ｓ１〜Ｓ３）。これにより、機器内メモリから外部機器に送信画像をバックアップすることができる。
またネットワーク制御部９を介してネットワーク経由で、例えばＷｅｂブラウザ等からバックアップ用ボックスの参照要求があった場合（Ｓ４でＹ）、この要求に応じて参照することで（Ｓ５）、どの原稿を送信したかをネットワーク経由で参照可能となる。
またネットワーク制御部９を介してネットワーク経由で、例えばＷｅｂブラウザ等からバックアップ用ボックスの引取りがあった場合（Ｓ６でＹ）、この要求に応じて画像転送することで（Ｓ７）、どの原稿を送信したかをネットワーク経由で取得可能となる。
【図面の簡単な説明】
【０００８】
【図１】本発明の実施形態に係るファクシミリ装置のシステムブロック図。
【図２】本発明のファクシミリ装置における第１の制御例を示すフローチャート。
【図３】本発明のファクシミリ装置における第２の制御例を示すフローチャート。
【符号の説明】
【０００９】
１  システム制御部、５  文書蓄積部、８  電話番号管理部、９  ネットワーク制御部、１０  ボックス管理部
【図１】
2007174516.tif 000003
【図２】
2007174516.tif 000004
【図３】
2007174516.tif 000005